(57)【要約】【課題】携帯電話を用いて、マルチメディア機器を遠隔制御しインタラクティブ動作を行うシステム及び方法を提供する。このシステム及び方法は、持続的なインターネット接続を確立することが出来る携帯電話を利用することにより達成される。携帯電話のキーパットでユーザにより入力される信号を受信し、その入力をマルチメディア機器によって認識されるコマンドへと変換するソフトウェアのアプリケーションを携帯電話に提供する。【解決手段】例えば前記マルチメディア機器は、テレビ、セットトップボックス、あるいは、ティーボやリプレイＴＶの様なデジタルビデオレコーダなどがある。前記ソフトウェアプリケーションは、ユーザによるデータ入力を直接あるいは少なくとも1つの中央サーバを経て、前記機器へ送る。携帯電話で入力されるコマンドの遠方機器で認識されるコマンドへのマッピングは、携帯電話、中央サーバあるいは機器自体で行うことが出来る。【選択図】図１
2010213307.tif 000002
【特許請求の範囲】
【請求項１】
遠隔機器と、該遠隔機器に対して遠隔地にある中央サーバとの間でネットワーク接続を確立するステップと、
携帯電話によって、前記携帯電話と前記中央サーバとの間の接続を確立するステップと、
前記携帯電話に設けられた遠隔制御の使用を擬似させるソフトウェアを実行して、前記携帯電話の標準の携帯電話用コマンドを、前記遠隔機器を動作可能にする遠隔機器用コマンドへと変換するステップと、
前記中央サーバにて、前記携帯電話から前記遠隔機器用コマンドを受信するステップと、
前記中央サーバによって、前記遠隔機器用コマンドを前記遠隔機器に送信して、前記遠隔機器を動作させるステップと、
を含むことを特徴とする遠隔制御方法。
【請求項２】
前記遠隔機器は、前記遠隔機器に関連付けられた観衆用ディスプレイに機能的に接続されていることを特徴とする請求項１に記載の遠隔制御方法。
【請求項３】
前記遠隔機器は、前記遠隔機器に関連付けられた観衆用ディスプレイに機能的に接続されたマルチプレーヤゲーム機器であることを特徴とする請求項１に記載の遠隔制御方法。
【請求項４】
前記遠隔機器は、セットトップボックスであることを特徴とする請求項１に記載の遠隔制御方法。
【請求項５】
前記遠隔機器は、オーディオまたはビデオレコーダであることを特徴とする請求項１に記載の遠隔制御方法。
【請求項６】
前記遠隔機器は、コンピュータであることを特徴とする請求項１に記載の遠隔操作方法。
【請求項７】
前記標準の携帯電話用コマンドが、携帯電話のキーパットを経て入力されることを特徴とする請求項１に記載の遠隔制御方法。
【請求項８】
前記携帯電話のキーパットの入力がユーザによって入力され、インターネットを介して通信して遠隔地における前記遠隔機器が実行すべき命令を意味することを特徴とする請求項７に記載の遠隔制御方法。
【請求項９】
前記ネットワーク接続が、持続して接続されることを特徴とする請求項１に記載の遠隔制御方法。
【請求項１０】
前記遠隔機器用コマンドは、ＳＭＳメッセージジングによりデータを送ることによって前記中央サーバに送信されることを特徴とする請求項１に記載の遠隔制御方法。
【請求項１１】
遠隔機器であって、
中央サーバに対してネットワーク接続を確立するモデムと、
当該遠隔機器を動作させるための遠隔機器用コマンドを携帯電話から受信するプロセッサであって、該遠隔機器用コマンドが、前記携帯電話に設けられたソフトウェアによって当該遠隔機器の遠隔制御を擬似させるべく前記携帯電話の標準の携帯電話用コマンドから発行され変換されたものである、プロセッサと、
を備えることを特徴とする遠隔機器。
【請求項１２】
前記遠隔機器は、前記遠隔機器に関連付けられた観衆用ディスプレイに機能的に接続されていることを特徴とする請求項１１に記載の遠隔機器。
【請求項１３】
前記遠隔機器用コマンドは、前記観衆用ディスプレイに表示されるマルチプレーヤゲームにおける少なくとも１つのイベントに応答するためのものであることを特徴とする請求項１２に記載の遠隔機器。
【請求項１４】
当該ゲームは、前記携帯電話に関連付けられたディスプレイに表示されることを特徴とする請求項１３に記載の遠隔機器。
【請求項１５】
前記プロセッサは、マルチメディア機器で動作するよう構成されていることを特徴とする請求項１１に記載の遠隔機器。
【請求項１６】
前記プロセッサは、セットトップボックスで動作するよう構成されていることを特徴とする請求項１１に記載の遠隔機器。
【請求項１７】
前記プロセッサは、オーディオまたはビデオレコーダで動作するよう構成されていることを特徴とする請求項１１に記載の遠隔機器。
【請求項１８】
前記プロセッサは、コンピュータで動作するよう構成されていることを特徴とする請求項１１に記載の遠隔機器。
【請求項１９】
前記標準の携帯電話用コマンドが、携帯電話のキーパットを経てユーザによって入力されることを特徴とする請求項１１に記載の遠隔機器。
【請求項２０】
前記携帯電話のキーパットの入力がユーザによって入力され、インターネットを介して通信して遠隔地における前記遠隔機器が実行すべき命令を意味することを特徴とする請求項１１に記載の遠隔機器。
【請求項２１】
前記ネットワーク接続が、持続して接続されることを特徴とする請求項１１に記載の遠隔機器。
【請求項２２】
前記遠隔機器用コマンドは、ＳＭＳメッセージジングによりデータを送ることによって前記中央サーバに送信されることを特徴とする請求項１１に記載の遠隔機器。
【請求項２３】
携帯電話であって、
当該携帯電話と遠隔機器との間のワイヤレス接続を確立するモデムと、
キーパットと、
前記携帯電話のプロセッサによって実行されるソフトウェアとを備え、
該ソフトウェアは、標準のキーパッド入力を、前記遠隔機器を動作させるために、前記遠隔機器によって認識可能な遠隔機器用コマンドに変換するよう実行されることを特徴とする携帯電話。
【請求項２４】
中央サーバであって、
携帯電話とのネットワーク接続と、前記携帯電話とは別途の遠隔機器との別のネットワーク接続とを確立し、前記遠隔機器を動作させるのに用いる遠隔機器用コマンドを前記携帯電話から受信するするモデムであって、該遠隔機器用コマンドが、前記携帯電話に設けられたソフトウェアによって当該遠隔機器の遠隔制御を擬似させるべく前記携帯電話の標準の携帯電話用コマンドから発行され変換されたものである、モデムと、
前記遠隔機器を動作させるための当該遠隔機器用コマンドを送信するプロセッサであって、前記携帯電話から受信した当該遠隔機器用コマンドを、前記遠隔機器によって認識可能なフォーマットで前記遠隔機器に伝えるプロセッサと、
を備えることを特徴とする中央サーバ。
【請求項２５】
前記遠隔機器は、前記遠隔機器に関連付けられた観衆用ディスプレイに機能的に接続されていることを特徴とする請求項２４に記載の中央サーバ。
【請求項２６】
前記遠隔機器は、マルチプレーヤゲーム機器からなり、前記遠隔機器用コマンドは、マルチプレーヤゲーム用コマンドに対応していることを特徴とする請求項２４に記載の中央サーバ。
【請求項２７】
前記マルチプレーヤゲーム用コマンドは、前記観衆用ディスプレイに表示されるマルチプレーヤゲーム内のオブジェクトを動作させることを特徴とする請求項２６に記載の中央サーバ。
【請求項２８】
前記観衆用ディスプレイは、乗り物待ち行列に設置されるディスプレイからなることを特徴とする請求項２５に記載の中央サーバ。
【請求項２９】
前記観衆用ディスプレイは、映画用ディスプレイからなることを特徴とする請求項２５に記載の中央サーバ。
【請求項３０】
前記観衆用ディスプレイは、乗り物待ち行列に設置されるディスプレイからなることを特徴とする請求項１２に記載の遠隔機器。
【請求項３１】
前記遠隔機器は、複数の携帯電話から遠隔機器用コマンドを受信することを特徴とする請求項２４に記載の中央サーバ。
【請求項３２】
前記遠隔機器用コマンドは、前記遠隔機器のプロセッサによって処理されるマルチプレーヤゲーム用コマンドに対応しており、観衆用ディスプレイに表示されることを特徴とする請求項３１に記載の中央サーバ。
【請求項３３】
前記観衆用ディスプレイは、乗り物待ち行列に設置されるスクリーンからなることを特徴とする請求項３２に記載の中央サーバ。
【請求項３４】
当該中央サーバは、観衆用ディスプレイに機能的に接続されていることを特徴とする請求項２４に記載の中央サーバ。
【請求項３５】
前記遠隔機器は、マルチプレーヤゲーム機器からなり、前記遠隔機器用コマンドは、マルチプレーヤゲーム用コマンドに対応していることを特徴とする請求項２４に記載の中央サーバ。
【請求項３６】
前記マルチプレーヤゲーム用コマンドは、前記観衆用ディスプレイに表示されるマルチプレーヤゲーム内のオブジェクトを動作させることを特徴とする請求項３５に記載の中央サーバ。
【請求項３７】
前記観衆用ディスプレイは、乗り物待ち行列に設置されるディスプレイからなることを特徴とする請求項２４に記載の中央サーバ。
【請求項３８】
当該中央サーバは、さらに、複数の携帯電話が前記マルチプレーヤゲーム機器用の遠隔制御を模擬するための変換用ソフトウェアを、前記複数の携帯電話に対して送信するように構成されていることを特徴とする請求項２４に記載の中央サーバ。
【発明の詳細な説明】
【技術分野】
【０００１】
本発明はマルチメディア機器と遠隔的にインタラクティブ動作または制御を行う、新しいシステムと方法に関するものである。
【背景技術】
【０００２】
現在、インタラクティブ体験に必要なユーザ入力機器のコストと設計のために、多くのインタラクティブ体験の広範囲の使用が制限されている。例えば、コントローラポートの数により、家庭用ビデオゲーム機での同時プレイヤの数が制限されている。またタッチスクリーン使用が同時にわずか１人か２人のユーザに制限されている。
【０００３】
２０人位の人達が1つの大きな画面でゲームを行うビデオゲームの例がある。
ゲームコントローラは座席に内蔵され、ゲームプレイシステムに直接接続されている。しかしながらテーマパークの様な大きな公共会場において、カスタム入力機能を多数の人達に提供するには莫大なコストが掛かってしまう。
【０００４】
リモートコントローラとビデオゲームコントローラは、よく知られた技術で
ある。テレビセットトップボックスでは、マルチコントローラシステムが提供される場合には、リモートコントローラは信号送信機の強度と利用できるユニークなデバイスＩＤの数によって制限される。
【０００５】
従って、共通のユーザーインターフェースを備えるロケーションベースのマルチメディアアプリケーションやゲームアプリケーションを生成することが望まれる。ユーザーインターフェースは、コンテンツクリエータや遊技場のために極めて安価にすべきである。前記インターフェースは、同時ユーザ参加に対し無限に拡張可能なユーザの数を提供する必要がある。
【発明の概要】
【発明が解決しようとする課題】
【０００６】
そこで本発明は、携帯電話の使用によりマルチメディア機器とインタラクティブ動作を行い制御する方法を提供する。携帯電話に遠隔制御の使用をシミュレート（擬似）させるソフトウェアを提供する。これは、インターネット接続を確立することができるセルラ電話および／またはモバイル電話を利用することによって達成される。携帯電話のキーパットでユーザによって入力される入力信号を受信し、前記入力信号をマルチメディア機器で認識されるコマンドに変換するソフトウェアを携帯電話に提供する。例えばマルチメディア機器は、テレビ、セットトップボックス、あるいは、ティーボやリプレイTVの様なデジタルビデオレコーダなどである。ソフトウェアプリケーションは、ユーザによって入力されるデータを、直接あるいは少なくとも1つの中央サーバを通して機器に送信する。携帯電話で入力されるコマンドの遠方機器で認識されるコマンドへのマッピングは、携帯電話、中央サーバあるいは機器自体において生起させることができる。それにより、ユーザは自分の携帯電話を使って、たとえば自宅で機器の遠隔制御を使うのと同じ方法で、テレビやオーディオ／ビデオ記録器の様な自宅の機器に命令することができる。
【０００７】
本発明は、２．５Gあるいは３Ｇの携帯電話を用いて個々のマルチメディア機器を制御する方法も提供する。３Ｇ(第3世代)は、携帯電話ネットワークの性能を高め、データ速度を増大するのに使用する標準規格及び技術の集合を現す語である。３Ｇの無線は、機器が静止している状態か歩行の速さで動いている場合は３８４Kbpsまで帯域幅を増やすことができ、車で移動中の場合は１２８Kbpsまで増やすことができ、固定アプリケーションでは２Mbpsまで増やすことができる。３Ｇは、WCDMA、ＧＳＭ(GPRS)、そしてTDMAの様な無線エアーインターフェースを介して働くものである。新しいEDGE(for Enhanced Data for GSM Environment air interface)は、３Ｇ携帯電話の帯域幅のニーズを満たすために特別に開発された。
【０００８】
これらの電話に組み込まれた無線インターネット接続機能を使用すると、携帯電話は、ユビキタスで携帯可能なマルチメディア及びゲームコントローラになる。これにより、ユーザは持ち運び可能で大規模なマルチメディア体験を共有することが出来る。
【０００９】
例えば、本発明を使用すると、８００人を超える大観衆が同時にIMAXスクリーン上に表示されるゲームを行うことが出来る。このアイデアを重要なものとしていることは、全ての人達の為にIMAX会場はゲームコントローラを購入しインストールし、配り、また整備する必要がなくなることである。この様なコストの節約により、新しくて刺激的なインタラクティブなマルチメディアショウを経済的に実行可能とすることが出来る。新しいショウが、このシステムのために簡単に開発されるだろう。
【００１０】
本発明を使用すると、非常に多種の形式のマルチメディア機器とインタラクティブ動作及び制御を行うことが可能となる。また本発明は、ある人のホームコンピュータ上の機能やアプリケーションとインタラクティブ動作を行う為に使用することが出来る。自分の携帯電話を使って、セットトップボックスあるいはティーボやリプレイＴＶユニットの様なビデオレコーダが記録を行うように遠隔制御または指示出来る。一般にネットワークに接続されている機器は全て、携帯電話によるコマンドで遠隔操作出来る。
【００１１】
本発明の上記の又は他の目的、特徴、利点は、以下に図面を参照して、詳細に記載される代表的な実施例の説明を読むことで明らかになる。
【図面の簡単な説明】
【００１２】
【図１】本発明による代表的な実施例のブロック図である。
【図２】クライアントアプリケーションにより表示されるユーザーインターフェースの、代表的な実施例を示す図である。
【図３】本発明による代表的な実施例のブロック図である。
【図４】本発明による代表的な実施例のブロック図である。
【図５】本発明による代表的な実施例のブロック図である。
【発明を実施するための形態】
【００１３】
典型的な実施例の以下の記載においては、本発明の特定の実施例を例示する添付図面を参照されたい。他の実施例も利用でき、本発明の範囲から外れることがなく構造や機能の変更が可能であることが理解される。
【００１４】
本発明は、遠隔制御及び携帯電話を用いてマルチメディアとインタラクティブ動作を行うシステム及び方法を提供する。これは、持続的なインターネット接続を確率することが出来るセルラ電話及び／あるいはモバイル電話を利用することにより成し遂げられる。携帯電話のキーパットでユーザによって入力される入力信号を受信し、その入力をマルチメディア機器で認識されるコマンドへと変換するソフトウェアプリケーションを携帯電話に提供する。例えば、マルチメディア機器は、テレビ、セットトップボックス、あるいはティーボやリプレイTVの様なデジタルビデオレコーダであっても良い。ソフトウェアプリケーションは、直接あるいは少なくとも1つの中央サーバを経て、ユーザによるデータ入力を機器へと送る。携帯電話で入力されたコマンドの遠方機器で認識されるコマンドへのマッピングは、携帯電話、中央サーバもしくは機器自体において生起させることができる。これにより、ユーザは自分の携帯電話を使って、自宅で機器の遠隔制御を扱うかの様に、テレビやオーディオ／ビデオレコーダの様な機器に命令することが出来る。
【００１５】
携帯電話を用いて遠隔にある遠隔機器を遠隔制御する為の代表的な実施例のブロック図を図１に示す。
【００１６】
多くの携帯電話１００が示されている。クライアントアプリケーション１１０は、携帯電話１００にインストールされている。代表的な実施例では、クライアントアプリケーション１１０は、コマンドを遠方機器に入力する能力をユーザに提供するユーザーインターフェースを携帯電話の画面上に提供する。例えば、アプリケーション１１０は、複数のコマンドと、各コマンドに対応するキーパッド上の番号の様な入力キーを一覧表示することが出来る。図２に、ユーザーインターフェースがどの様な物かが例示されている。
【００１７】
1つの実施例では、クライアントアプリケーション１１０は多数の様々な遠方機器に対してコマンドを入力するオプションを提供する、ただ1つのアプリケーションである。もう1つの実施例では、携帯電話は各遠方機器につき1つづつ、いくつかのクライアントアプリケーション１１０を具えるものとすることが出来る。
【００１８】
代表的な実施例において、携帯電話上のアプリケーション１１０は、サンマイクロシステムのインターネット標準規格であるJava（登録商標）プログラム言語に基づく、Java２のプラットフォームマイクロエディション(Ｊ２ＭＥ)で開発されている。前記J2MEプラットフォームは、コンシューマ用のJavaプラットフォームであり、携帯電話やＰＤＡ、ＴＶセットトップボックスや、車内テレマティックシステムなどの様に埋め込まれた機器である。モトローラｉ５０ｓｘやｉ８５ｓやｉ９０ｃの様な携帯電話は、Java２マイクロエディションソフトウェアが現在ロードされている携帯電話の非常に僅かな例である。前記Ｊ２ＭＥプラットフォームは、広範囲のネットワーキングプロトコルを提供する。
【００１９】
ユーザは前記アプリケーションを無線ネットワークを介して自身の携帯電話にダウンロードしインストールしてもよい。また、前記アプリケーションは、ユーザにより購入される前に携帯電話にプレインストールしてもよい。また、ユーザはインターネット接続を用いてソフトウェアをデスクトップやラップトップコンピュータにダウンロードし、その後インストールの為にそのプログラムを自分の携帯電話に転送してもよい。例えば、データトランスファーケーブルをコンピュータから携帯電話へデータを送る為に購入することができる。また、ブルーツース(IEEE ８０２．１５)や赤外線通信は、コンピュータと携帯電話間の通信を可能にする他の方法である。
【００２０】
クライアントアプリケーション１１０は、ユーザから入力を受け取る。1つの実施例として、１つの入力キーが携帯電話で押されると、プログラムが極めて小さなイベント識別子が発生する。例えば、携帯電話で「１」というキーを押すと、１６進数の識別子０x３１が発生する。この識別子は、携帯電話のネットワークを経て中央部に置かれたサーバ１２０へ送られる。
【００２１】
サーバ１２０のアドレスは、携帯電話上のクライアントアプリケーション１１０内にハードコード化される。ＩＰベースプロトコルの他に、ＳＭＳ（ショートメッセージサービスプロトコル）をデータを携帯電話からのデータ伝送に使用してもよい。
【００２２】
サーバ１２０は更に、携帯電話からデータを受信し、該データをマルチメディア機器で認識される適切なフォーマットへ変換する様に構成されたソフトウェア１３０を具える。サーバ１２０はまた、ユーザの携帯電話から制御すべき既知の機器の一覧表も含むことができる。携帯電話から受信されたデータが機器によって認識可能なコマンドへ変換されると、該データは１５０で示される適切な機器に転送される。
【００２３】
他の実施例では、前記識別子は携帯電話からモバイルネットワーク及びインターネットを経てマルチメディア機器へと送られる。図３はこの様な実施例を示している。この様な実施例では、マルチメディア機器１５０は更に、携帯電話１００によって発生された識別子を遠隔制御コマンドとして解釈するソフトウェア１６０を具えている。マルチメディア機器上の前記ソフトウェア１６０は、携帯電話の固有のIPアドレスに基づいて、コマンドを機器上の所望の動作に関連づけることが出来る。
【００２４】
また、携帯電話は、多数のIP接続を受け入れるソフトウェアを実行するコンピュータ(例えばＰＣ)を経てマルチメディア機器へ接続出来る。図４は、コンピュータ１７０が1つ以上の機器１５０へと接続される代表的な実施例を示すものである。コンピュータ１７０は更に、携帯電話１００からのメッセージを受信し、そのメッセージを機器１５０の1つによって認識されるコマンドへ解釈するように構成されたソフトウェア１８０を実行する。従って、コンピュータ１７０はホームコンピュータでよく、複数の機器１５０をコンピュータに接続することが出来る。これらの機器は、例えばＵＳＢやシリアル接続により周辺機器として接続することができる。これらの機器は有線又は無線ネットワークによりコンピュータに接続することもできる。
【００２５】
更に他の実施例では、携帯電話１００に存在するクライアントアプリケーション１１０を、各キーを押すと遠隔機器で認識される実際のコマンドを発生するように構成する。携帯電話に存在するクライアントアプリケーションは、ユーザにより入力されるコマンドを遠方機器で認識されるコマンドに変換する。このときコマンドは機器へ直接送られる。
【００２６】
本発明はいくつかのアプリケーションで使用することが出来る。
【００２７】
図５は、ユーザが自分の家の中に設置された多数の機器の内1つ以上を遠隔的に制御し、インタラクティブ動作を行う為に携帯電話をどの様に使用できるかの例を示すものである。例えば、本発明によるソフトウェアを実行するホームコンピュータは、ユーザ宅内の多くの機器と接続することが出来る。例えば、テレビ、セットトップボックス、ティーボやリプレイテレビ、ＶＣＲ、ＤＶＤプレイヤまたはレコーダの様なデジタルビデオレコーダ、あるいはホームステレオシステム等の家電製品はホームコンピュータへ接続出来る。更に、照明システムの様な家庭用器具も制御出来る。
【００２８】
ホームコンピュータ上のソフトウェアにアクセスすることも出来る。
【００２９】
例えばコンピュータ上にあるゲームは、携帯電話を用いて、遠方から楽しむことが出来る。代表的な実施例として、モトローラ製ｉ８５ｓフォンの様なJava携帯電話や携帯電話上で実行するJ2MEアプリケーションは、ＰＣ上で実行するアプリケーションの為のゲームコントローラとして働く。例えば前記電話アプリケーションはスモールサーバープログラムを介して簡単なフラッシュムービーに接続する。ムービーは飛行機の飛行などがある。携帯電話のキーを押すことで、メッセージを動作中のフラッシュムービーに送る。これらのメッセージによって飛行機のスピードを落としたり、上げたり、上昇したり下降したりミサイルを発射させることが出来る。
【００３０】
更に、ゲームプレイに参加できるプレイヤの数を増やすことが出来る。例えば、もしも１０人の人が宇宙船シューティングゲームを行っている場合、プレイヤ５は赤い宇宙船をコントロールする。プレイヤ５は自分の携帯電話の「発射」ボタンを押す(例えば「＃」キー)。前記アプリケーションがこのキープレスを１６進の識別子０x２３として解釈する。このキープレスは、ＩＰを経由してゲームを実行するマルチメディアコンピュータに送られる。コンピュータ上で実行する前記アプリケーションが、「発射」という命令をプレイヤ５のＩＰアドレスから受信したことを知ると、赤い宇宙船のレーザを発射する。携帯電話とコンピュータ間には双方向通信がある為、コンピュータはメッセージを携帯電話に返すことが出来る。宇宙船の例では、前記マルチメディアコンピュータは、近くの対戦相手のレーダ像をシミュレートするために使用するデータを送ることが出来る。
【００３１】
もう1つの実施例として携帯電話を使ってロケーションベースのエンタテイメントプロトタイプを制御する。接続は、携帯電話からアプリケーションへ直接になされる。携帯電話からアプリケーションメッセージを送ることによって、よく知られたアニメのキャラクタの、あらかじめ定義された３Ｄアニメーション及び音響効果が達成される。
【００３２】
本発明によればまた、テーマパークの乗り物待ち行列においてインタラクティビティを費用を掛けずに高めることが出来る。待ち行列エンターテイメントをコントローラの費用や耐久性について心配することなく開発できる。ゲームは、乗り物待ち行列に設置されるモニタ上に表示され、客は行列内で自分の携帯電話を使って、モニタ上に表示されたゲームとインタラクティブ動作を行うことが出来る。
【００３３】
本発明は、「誰が大金持ちになるか？」といった代表的な大規模のアトラクションに使用される。本発明はまた、大きな主表示画面を使用すれば、大規模のマルチユーザ体験を安く作ることができる。本発明はクイズゲームなどにもに等しく適用され、またディズニーランドのファンタスミックショウのウォーターウォール上での多数の彩色画などのマルチメディア体験に使われる。
【００３４】
好適実施例の以上の記載は本発明の説明と開示を目的とするものがあり、本発明を記載どおりにものに限定するものではない。上記の教えに照らせば多くの変更や変形が可能となる。本発明の範囲は、この詳細な説明により限定されず、請求項によって限定される。
【図１】
2010213307.tif 000003
【図２】
2010213307.tif 000004
【図３】
2010213307.tif 000005
【図４】
2010213307.tif 000006
【図５】
2010213307.tif 000007
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
遠隔機器と、該遠隔機器に対して遠隔地にある中央サーバとの間でネットワーク接続を確立するステップと、
前記携帯電話と前記中央サーバとの間の接続を確立するステップと、
前記携帯電話に設けられた遠隔制御の使用を擬似させるソフトウェアを実行して、前記携帯電話の標準の携帯電話用コマンドを、前記遠隔機器を動作可能にする遠隔機器用コマンドへと変換するステップと、
前記中央サーバにて、前記携帯電話から前記遠隔機器用コマンドを受信するステップと、
前記中央サーバによって、前記遠隔機器用コマンドを前記遠隔機器に送信して、前記遠隔機器を動作させるステップと、
を含むことを特徴とする遠隔制御方法。
【請求項２】
前記遠隔機器は、前記遠隔機器に関連付けられた観衆用ディスプレイに機能的に接続されていることを特徴とする請求項１に記載の遠隔制御方法。
【請求項３】
前記遠隔機器は、前記観衆用ディスプレイに機能的に接続されたマルチプレーヤゲーム機器であることを特徴とする請求項２に記載の遠隔制御方法。
【請求項４】
前記遠隔機器は、セットトップボックスであることを特徴とする請求項１に記載の遠隔制御方法。
【請求項５】
前記遠隔機器は、オーディオまたはビデオレコーダであることを特徴とする請求項１に記載の遠隔制御方法。
【請求項６】
前記標準の携帯電話用コマンドが、携帯電話のキーパットを経て入力されることを特徴とする請求項１に記載の遠隔制御方法。
【請求項７】
遠隔機器であって、
中央サーバに対してネットワーク接続を確立するモデムと、
当該遠隔機器を動作させるための遠隔機器用コマンドを携帯電話から受信するプロセッサであって、該遠隔機器用コマンドが、前記携帯電話に設けられたソフトウェアによって当該遠隔機器の遠隔制御を擬似させるべく前記携帯電話の標準の携帯電話用コマンドから発行され変換されたものである、プロセッサと、
を備えることを特徴とする遠隔機器。
【請求項８】
前記遠隔機器は、前記遠隔機器に関連付けられた観衆用ディスプレイに機能的に接続されていることを特徴とする請求項７に記載の遠隔機器。
【請求項９】
前記遠隔機器用コマンドは、前記観衆用ディスプレイに表示されるマルチプレーヤゲームにおける少なくとも１つのイベントに応答するためのものであることを特徴とする請求項８に記載の遠隔機器。
【請求項１０】
前記標準の携帯電話用コマンドが、携帯電話のキーパットを経てユーザによって入力されることを特徴とする請求項７に記載の遠隔機器。
【請求項１１】
携帯電話であって、
当該携帯電話と遠隔機器との間のワイヤレス接続を確立するモデムと、
キーパットと、
前記携帯電話のプロセッサによって実行されるソフトウェアとを備え、
該ソフトウェアは、標準のキーパッド入力を、前記遠隔機器を動作させるために、前記遠隔機器によって認識可能な遠隔機器用コマンドに変換するよう実行されることを特徴とする携帯電話。
【請求項１２】
前記遠隔機器は観衆用ディスプレイに機能的に接続され、
前記遠隔機器は、マルチプレーヤゲーム用コマンドを有し、
前記マルチプレーヤゲーム用コマンドは、前記観衆用ディスプレイに表示されるマルチプレーヤゲーム内のオブジェクトを動作させることを特徴とする請求項１１に記載の携帯電話。
【請求項１３】
前記観衆用ディスプレイは、乗り物待ち行列に設置されるディスプレイからなることを特徴とする請求項１２に記載の携帯電話。
【請求項１４】
中央サーバであって、
携帯電話とのネットワーク接続と、前記携帯電話とは別途の遠隔機器との別のネットワーク接続とを確立し、前記遠隔機器を動作させるのに用いる遠隔機器用コマンドを前記携帯電話から受信するするモデムであって、該遠隔機器用コマンドが、前記携帯電話に設けられたソフトウェアによって当該遠隔機器の遠隔制御を擬似させるべく前記携帯電話の標準の携帯電話用コマンドから発行され変換されたものである、モデムと、
前記遠隔機器を動作させるための当該遠隔機器用コマンドを送信するプロセッサであって、前記携帯電話から受信した当該遠隔機器用コマンドを、前記遠隔機器によって認識可能なフォーマットで前記遠隔機器に伝えるプロセッサと、
を備えることを特徴とする中央サーバ。
【請求項１５】
当該中央サーバは、さらに、複数の携帯電話が前記マルチプレーヤゲーム機器用の遠隔制御を模擬するための変換用ソフトウェアを、前記複数の携帯電話に対して送信するように構成されていることを特徴とする請求項１４に記載の中央サーバ。
【外国語明細書】
2010213307000001.pdf